(57)【要約】【課題】装飾体を有するカーテン構造を提供する。【解決手段】  装飾挟持層を有するカーテン構造であって、第一不織布１０と、前記第一不織布１０の一側に結合された第二不織布２０と、前記第一及び第二不織布間に挟設された装飾挟持層３０とからなり、前記装飾挟持層３０中には、厚さが薄く、形状、材質、色、配置位置及び数量が不特定の装飾体３１を有し、これらの装飾体３１は、前記第一及び第二不織布間に定位され、不織布の半透明の材質特性により、外部からこれらの装飾体３１が透けて見えるようになっており、複数のバー部材４０及び連結線材４１も、前記装飾挟持層３０中に組設され、前記連結線材４１は前記バー部材４０をそれぞれ連結すると共に、カーテンの頂部から突出して、カーテンポールと連結する構成とした。また、前記装飾体３１は、厚さが薄く、形状、材質、色、配置位置及び数量は所望により変化させることが可能となっている。  【選択図】図１
0003106750.tif 000002
【実用新案登録請求の範囲】
【請求項１】
装飾挟持層を有するカーテン構造であって、
第一不織布と、
前記第一不織布の一側に結合された第二不織布と、
前記第一及び第二不織布間に挟設された装飾挟持層と、
からなり、
前記装飾挟持層中には、厚さが薄く、形状、材質、色、配置位置及び数量が不特定の装飾体を有し、これらの装飾体は、前記第一及び第二不織布間に定位され、不織布の半透明の材質特性により、外部からこれらの装飾体が透けて見えるようになっており、
複数のバー部材及び連結線材も、前記装飾挟持層中に組設され、前記連結線材は前記バー部材をそれぞれ連結すると共に、カーテンの頂部から突出して、カーテンポールと連結することを特徴とするカーテン構造。
【請求項２】
前記装飾挟持層の装飾体は、乾燥扁平形の花、葉であることを特徴とする請求項１に記載のカーテン構造。
【請求項３】
前記複数のバー部材及び前記連結線材は、一方の不織布外側面に配置した構造形態であることを特徴とする請求項１に記載のカーテン構造。
【考案の詳細な説明】
【技術分野】
【０００１】
本考案は、カーテン構造に関するものであって、特に、二枚の不織布とそれらの間に挟持される装飾挟持層により構成される空間部を有する積層形態のカーテン構造に関するものである。
【背景技術】
【０００２】
これまで、一般にカーテンを使用する主目的としては、居住環境、或いは、オフィスにおける遮光であったが、消費者の要求が多元化する趨勢下において、カーテンの装飾品としての効能が、機能性よりも重要視されるようになってきた。現在、布カーテンもブラインドも、視覚による外観意匠効果は、通常、カーテン表面の色、模様、及び、カッティングにより表現されているので、その装飾性の変化は乏しい。
上述のような問題に対し、斬新な装飾効果を有する構造が必要である。
【考案の開示】
【考案が解決しようとする課題】
【０００３】
本考案は、従来の問題を改善し、斬新な装飾効果を有するカーテン構造を提供することを目的とする。
【課題を解決するための手段】
【０００４】
本考案の請求項１に係るカーテン構造は第一不織布と、前記第一不織布の一側に結合された第二不織布と、前記第一及び第二不織布間に挟設された装飾挟持層と、からなり、前記装飾挟持層中には、厚さが薄く、形状、材質、色、配置位置及び数量が不特定の装飾体を有し、これらの装飾体は、前記第一及び第二不織布間に定位され、不織布の半透明の材質特性により、外部からこれらの装飾体が透けて見えるようになっており、複数のバー部材及び連結線材も、前記装飾挟持層中に組設され、前記連結線材は前記バー部材をそれぞれ連結すると共に、カーテンの頂部から突出して、カーテンポールと連結することを特徴とする。
【０００５】
請求項２の考案は、請求項１に記載のカーテン構造において、前記装飾挟持層内に配設される装飾体は、乾燥扁平形の花、葉であることを特徴とする。
請求項３の考案は、請求項１に記載のカーテン構造において、前記複数のバー部材及び前記連結線材は、一方の不織布外側面に配置した構造形態であることを特徴とする。
【考案の効果】
【０００６】
本考案によれば、二つの不織布間に挟設された装飾体が、半透明の材質により形成した不織布の外部から透けて見え、且つ、光線の強弱により、装飾体は異なる外観模様を呈する意匠効果を発揮し、独特な装飾効果で、消費者に、従来のカーテンとは異なる形態を提供することが可能となる。
【考案を実施するための最良の形態】
【０００７】
本考案の目的とその特徴及び効果を詳しく説明するために、以下に具体的な実施の形態を図面を基に説明する。
【実施例１】
【０００８】
図１〜図４は、本考案のカーテン構造の好ましい第１実施例を示す図であって、図１は分解斜視図、図２は積層途中の要部の縦断面図、図３は積層状態の要部の縦断面図、図４は積層状態の一部を示す斜視図である。
【０００９】
図１において、１０は半透明の材質からなる第一不織布で、前記第一不織布１０の片側面には、該第一不織布１０と同様の材質により同形状に形成された第二不織布２０が重ね合わせられるようになっている。
前記第一及び第二不織布１０、２０間の装飾挟持層３０内には、金属製或いはプラスチック製の複数のバー部材４０を上下方向の間隔が所定の間隔となるように、連結線材４１により連結されて介在されると共に、草花等を乾燥して扁平形状にした押し花、乾燥させた植物の葉、或いはプラスチック製の人工葉などから成る不特定多数の装飾体３１が所望位置に配設されるようになっている。
【００１０】
上記装飾体３１は、前記第一不織布１０或いは第二不織布２０の互いに対抗面に接着剤などで貼り付け、或いは前記不織布１０，２０の対抗面に塗布した接着剤の接合時に同時に貼り付けてもよく、厚さが薄く、形状、材質、色、配置位置及び数量は所望により変化させることが可能で、不特定の装飾体３１を設けることができる。
【００１１】
前記第一及び第二不織布１０、２０間の装飾挟持層３０に配設された複数の装飾体３１は、半透明の材質により形成された前記第一及び第二不織布１０、２０の外部から透けて見えるようになっている。したがって、カーテンの装飾模様は、装飾体３１の取り付け位置、数を変化させることで種々の模様を形成できる。  
【００１２】
また、前記連結線材４１は、複数のバー部材４０を連結すると共に、先端部が前記第一及び第二不織布１０、２０の上端部より上方に突出して伸びだしてカーテンポール５０と連結し、巻き上げ機構６０を介してカーテンを上下方向への開閉を可能としている。
【実施例２】
【００１３】
図５は、この考案の第２実施例を示し、カーテンにおける複数のバー部材４０及び連結線材４１の形状並びに装飾体３１を変化させた状態を示す正面図である。
この実施例にあっては、カーテンの中央部分に左右幅一杯に延びるバー部材４０を配設し、中央より上方及び下方には次第に左右幅の短くなるバー部材４０を対称に配設した構成が、前記第１実施例と異なるのみで、他の形状は同様であるので同一部分には同一符号を付してその説明を省略する。
【実施例３】
【００１４】
図６は、この考案の第３実施例を示し、カーテンにおける複数のバー部材４０及び連結線材４１の形状並びに装飾体３１を変化させた状態を示す正面図である。
この実施例にあっては、カーテンの左右幅一杯に延びるバー部材４０を夫々水平に対して上下に傾斜させて配設した状態が、前記第１実施例と異なるのみで、他の形状は同様であるので同一部分には同一符号を付してその説明を省略する。
【実施例４】
【００１５】
図７は、この考案の第４実施例を示し、カーテンにおける複数のバー部材４０及び連結線材４１の形状並びに装飾体３１を変化させた状態を示す正面図である。
この実施例にあっては、左右幅一杯に延びるバー部材４０ａが直線状ではなく、夫々湾曲部を有する形状構成が、前記第１実施例と異なるのみで、他の形状は同様であるので同一部分には同一符号を付してその説明を省略する。
なお、図７で示すバー部材４０ａは、適切な幅の薄片状の飾りバー部材４０ａを使用し、飾りバー部材４０ａは、湾曲する柔軟性を有する不規則形状体であるが、適当な強度支承を有し、且つ、異なる色である。
【００１６】
前述の各バー部材４０の実施例に対し、説明を補足する必要がある。あるバー部材４０の配置位置の形態は、カーテン開閉の円滑性及び駆動性に影響を与えるかもしれない。しかし、現行の多くの消費者の使用形態から、この種の装飾性カーテンは、往々にして空間を仕切る暖簾として、或いは、和室や茶芸館で擬似窓のカーテンとして使用されるので、バーの配置方式もそれほど多くを考慮することなく柔軟性をもってフレキシブルに変化させることが出来る。
【実施例５】
【００１７】
図８は、この考案の第５実施例を示し、カーテンを構成する第一不織布１０及び第二不織布２０と複数のバー部材４０及び連結線材４１の配設形状を変化させた状態を示す縦断面図である。
この実施例にあっては、カーテンを構成する第一不織布１０及び第二不織布２０との間に装飾体３１を挟持し、カーテンの裏面側となる第一不織布１０の裏面側に複数のバー部材４０及び連結線材４１を接着或いは縫いこみにより取り付けたものであり、他の形状は前記第一実施例と同様であるので同一部分には同一符号を付してその説明を省略する。
【図面の簡単な説明】
【００１８】
【図１】本考案のカーテン構造の好ましい第１実施例を示す分解斜視図、
【図２】本考案の積層途中の要部の縦断面図、
【図３】本考案の積層状態の要部の縦断面図、
【図４】本考案の積層状態の一部を示す斜視図、
【図５】本考案のカーテン構造の第二実施例を示すバー配置形態を示す正面図、
【図６】本考案のカーテン構造の第三実施例を示すバー配置形態を示す正面図、
【図７】本考案のカーテン構造の第四実施例を示すバー配置形態を示す正面図、
【図８】本考案のカーテン構造の第五実施例を示す縦断面図である。
【符号の説明】
【００１９】
１０…  第一不織布
２０…  第二不織布    
３０…  装飾挟持層
３１…  装飾体
４０…  バー部材
４１…  連結線材
４０ａ…飾りバー部材
５０…  カーテンポール    
６０…  巻き上げ機構
【図１】
0003106750.tif 000003
【図２】
0003106750.tif 000004
【図３】
0003106750.tif 000005
【図４】
0003106750.tif 000006
【図５】
0003106750.tif 000007
【図６】
0003106750.tif 000008
【図７】
0003106750.tif 000009
【図８】
0003106750.tif 000010